【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
ほぼ円筒容積を形成する眼球インプラントであって、
インプラントの近位端の近位入口部分と、
インプラントの遠位端にあって第１の曲率半径で曲がるように付勢された遠位入口部分と、
前記近位入口部分と前記遠位入口部分の間に位置決めされた中間部分と、
細長いインプラントを横切る横方向の流体流れを容易にするインプラント内の複数の開口部と、
を含むことを特徴とするインプラント。
【請求項２】
インプラントに沿った縦方向の流体流れを容易にする内腔を形成することを特徴とする請求項１に記載のインプラント。
【請求項３】
前記中間部分は、第２の曲率半径で曲がるように付勢されることを特徴とする請求項１に記載のインプラント。
【請求項４】
前記第１の曲率半径は、前記第２の曲率半径よりも小さいことを特徴とする請求項３に記載のインプラント。
【請求項５】
前記第２の曲率半径は、シュレム管の曲率に近似することを特徴とする請求項３に記載のインプラント。
【請求項６】
前記近位部分は、第３の曲率半径で曲がるように付勢されることを特徴とする請求項３に記載のインプラント。
【請求項７】
前記第３の曲率半径は、一般的に前記第２の曲率半径よりも小さいことを特徴とする請求項６に記載のインプラント。
【請求項８】
前記第３の曲率半径は、前記第１の曲率半径にほぼ等しいことを特徴とする請求項６に記載のインプラント。
【請求項９】
前記複数の開口部は、インプラントの外側表面積の約５０％よりも大きい面積にわたって延びることを特徴とする請求項１に記載のインプラント。
【請求項１０】
ほぼ円筒容積を形成する眼球インプラントであって、
インプラントの近位端にあって眼の前房に位置決めされるようになった近位入口部分と、
インプラントの遠位端にあって眼の前房に位置決めされるようになった遠位入口部分と、
前記近位及び遠位入口部分間に位置決めされて、シュレム管に位置決めされるようになった中間部分と、
インプラントを横切る横方向の流体流れを容易にするインプラント内の複数の開口部と、
を含むことを特徴とするインプラント。
【請求項１１】
インプラントに沿った縦方向の流体流れを容易にする内腔を形成することを特徴とする請求項１０に記載のインプラント。
【請求項１２】
インプラント内腔を形成する眼球インプラントと、
前記インプラント内腔に配置されたコアと、
前記コアによって形成されたガイドワイヤ内腔に配置されたガイドワイヤと、
を含み、
前記ガイドワイヤは、所定の静止形状を有するように付勢され、
前記ガイドワイヤは、該ガイドワイヤが前記所定の静止形状を有している時に遠位曲率半径及び近位曲率半径を有し、
前記近位曲率半径は、前記遠位曲率半径よりも大きい、
ことを特徴とするアセンブリ。
【請求項１３】
前記近位曲率半径は、シュレム管の曲率に近似することを特徴とする請求項１２に記載のアセンブリ。
【請求項１４】
眼球インプラントの中間部分が、第２の曲率半径で曲がるように付勢されることを特徴とする請求項１２に記載のアセンブリ。
【請求項１５】
前記ガイドワイヤの前記近位曲率半径は、前記眼球インプラントの前記第２の曲率半径にほぼ等しいことを特徴とする請求項１４に記載のアセンブリ。
【請求項１６】
前記眼球インプラント及び前記コアは、前記所定の静止形状とは異なる加圧形状を有するように前記ガイドワイヤを押し付けることを特徴とする請求項１２に記載のアセンブリ。
【請求項１７】
前記加圧形状は、前記所定の静止形状よりも一般的により直線的であることを特徴とする請求項１６に記載のアセンブリ。
【請求項１８】
前記インプラントは、第１の材料を含み、前記コアは、前記第１の材料とは異なる第２の材料を含むことを特徴とする請求項１２に記載のアセンブリ。
【請求項１９】
前記第１の材料及び前記第２の材料は、互いに摺動接触状態に置かれた時に比較的低い摩擦界面をもたらす材料を含むことを特徴とする請求項１８に記載のアセンブリ。
【請求項２０】
前記第１の材料の２つのサンプル間の界面が、第１の摩擦係数を有し、
前記第１の材料のサンプルと前記第２の材料のサンプルの間の界面が、第２の摩擦係数を有し、
前記第１の摩擦係数は、前記第２の摩擦係数よりも大きい、
ことを特徴とする請求項１９に記載のアセンブリ。
【請求項２１】
前記第１の材料及び前記第２の材料は、互いに摺動接触状態に置かれた時に摩滅する可能性が低い材料を含むことを特徴とする請求項１８に記載のアセンブリ。
【請求項２２】
前記第１の材料は、金属材料を含み、前記第２の材料は、ポリマー材料を含むことを特徴とする請求項１８に記載のアセンブリ。
【請求項２３】
前記ガイドワイヤは、前記第１の材料を含み、前記コアは、前記第１の材料とは異なる第２の材料を含むことを特徴とする請求項１２に記載のアセンブリ。
【請求項２４】
前記第１の材料及び前記第２の材料は、互いに摺動接触状態に置かれた時に比較的低い摩擦界面をもたらす材料を含むことを特徴とする請求項２３に記載のアセンブリ。
【請求項２５】
前記第１の材料の２つのサンプル間の界面が、第１の摩擦係数を有し、
前記第１の材料のサンプルと前記第２の材料のサンプルの間の界面が、第２の摩擦係数を有し、
前記第１の摩擦係数は、前記第２の摩擦係数よりも大きい、
ことを特徴とする請求項２４に記載のアセンブリ。
【請求項２６】
前記第１の材料及び前記第２の材料は、互いに摺動接触状態に置かれた時に摩滅する可能性が低い材料を含むことを特徴とする請求項２３に記載のアセンブリ。
【請求項２７】
前記第１の材料は、金属材料を含み、前記第２の材料は、ポリマー材料を含むことを特徴とする請求項２３に記載のアセンブリ。
【請求項２８】
前記眼球インプラントの周りに配置されたカニューレを更に含むことを特徴とする請求項１２に記載のアセンブリ。
【請求項２９】
前記カニューレによって形成された内腔と流体連通して配置されたルアー接続金具を更に含むことを特徴とする請求項２８に記載のアセンブリ。
【請求項３０】
本体とハッチとを含む眼球インプラント、
を含み、
前記本体は、本体内腔及び縦軸線を形成し、
前記ハッチは、ハッチ軸線を有するハッチ内腔を形成し、
前記ハッチは、該ハッチを前記本体にヒンジ式に接続するアームを含み、
前記ハッチは、該ハッチが前記本体とほぼ同軸である第１の位置を有し、
前記ハッチは、前記ハッチ軸線が前記本体の前記縦軸線に対して歪曲した第２の位置を有し、
前記ハッチは、前記第２の位置を有するように付勢される、
ことを特徴とする装置。
【請求項３１】
前記ハッチは、前記第１の位置に配置され、
前記本体内腔及び前記ハッチ内腔を通って延びるコア、
を更に含むことを特徴とする請求項３０に記載の装置。
【請求項３２】
前記ハッチの少なくとも一部分が、１８０度よりも大きい半径方向スパンにわたって前記コアの一部分の周囲に延びることを特徴とする請求項３１に記載の装置。
【請求項３３】
前記コアは、前記ハッチを前記第１の位置に留まらせることを特徴とする請求項３１に記載の装置。
【請求項３４】
前記ハッチは、前記コアが前記ハッチ内腔から引き出される時に前記第２の位置を有することを特徴とする請求項２８に記載の装置。
【請求項３５】
インプラントの近位端の近位係止部分と、
インプラントの遠位端の遠位係止部分と、
前記近位係止部分と前記遠位係止部分の間に延びる中間部分と、
を含み、
前記中間部分は、インプラントが弛緩形状を有している時に弓形経路に従う縦軸線を有し、
前記近位係止部分は、前記中間部分の前記縦軸線の前記弓形経路に対して第１の半径方向内向き方向に延びるように付勢され、
前記遠位係止部分は、前記中間部分の前記縦軸線の前記弓形経路に対して第２の半径方向内向き方向に延びるように付勢される、
ことを特徴とする眼球インプラント。
【請求項３６】
前記第１の半径方向内向き方向及び前記第２の半径方向内向き方向は、互いに交差することを特徴とする請求項３５に記載のインプラント。
【請求項３７】
前記第１の半径方向内向き方向及び前記第２の半径方向の両方は、インプラントの前記中間部分が眼のシュレム管に配置される時に眼のシュレム管から外に通じていることを特徴とする請求項３５に記載のインプラント。
【請求項３８】
前記近位係止部分及び前記遠位係止部分の両方がインプラントの前記中間部分が眼のシュレム管に配置される時に眼のシュレム管の壁を通って延びることになるような寸法にされることを特徴とする請求項３５に記載のインプラント。
【請求項３９】
インプラントの前記中間部分が眼のシュレム管内を移動することになる可能性が、前記近位側係止部分及び前記遠位側係止部分の両方がシュレム管の壁を通って延びる時に低減されることを特徴とする請求項３５に記載のインプラント。
【請求項４０】
前記第１の半径方向内向き方向及び前記第２の半径方向の両方は、前記中間部分の前記縦軸線がシュレム管の縦軸線と同軸である時に眼のシュレム管から外に通じていることを特徴とする請求項３５に記載のインプラント。
【請求項４１】
前記中間部分の前記縦軸線の曲率半径が、インプラントが前記弛緩形状を有している時にシュレム管の前記曲率に近似することを特徴とする請求項３５に記載のインプラント。
【請求項４２】
インプラントの壁が、インプラントを横切る横方向の流体流れを容易にするインプラント内の複数の開口部を形成することを特徴とする請求項３１に記載のインプラント。
【請求項４３】
インプラントに沿った縦方向の流体流れを容易にする内腔を形成することを特徴とする請求項３１に記載のインプラント。
【請求項４４】
ほぼ円筒容積を形成する眼球インプラントであって、
インプラントの近位端にあって眼の前房に位置決めされるようになった近位入口部分と、
インプラントの遠位端にあって眼の脈絡膜上腔に位置決めされるようになった遠位入口部分と、
前記近位及び遠位入口部分間に位置決めされた中間部分と、
インプラントを横切る横方向の流体流れを容易にするインプラント内の複数の開口部と、
を含むことを特徴とするインプラント。